(57)【要約】【課題】例えば撮影対象物の紋様情報のように細かい情報を取得する場合においても、撮影対象物の予め定めた領域を、撮影手段に対して簡単に位置決めする。【解決手段】撮影用ユニット３は、携帯端末２が備えるカメラ２１の光軸方向と交差する方向に挿入されるカードＣが突き当てられ、カードＣの情報領域Ｄをカメラ２１に対向させる位置決め部材４６と、位置決め部材４６に突き当てられるカードＣにカメラ２１側から光軸方向に対向する遮光部材４５の底部４５２と、光軸方向に沿ってカードＣを底部４５２に押し付ける球状部材４７および弾性部材４８とを備える。【選択図】図７
2017032697.tif 000002
【特許請求の範囲】
【請求項１】
携帯端末が備える撮影手段の光軸方向と交差する方向に挿入される撮影対象物が突き当てられ、当該撮影対象物の予め定めた領域を当該撮影手段に対向させる突き当て部材と、
前記突き当て部材に突き当てられる前記撮影対象物に前記撮影手段側から前記光軸方向に対向する対向部材と、
前記光軸方向に沿って前記撮影対象物を前記対向部材に押し付ける押し付け手段と
を備える撮影用ユニット。
【請求項２】
前記突き当て部材および前記押し付け手段が取り付けられ、または当該突き当て部材および当該押し付け手段が一体として設けられ、前記携帯端末に着脱可能に取り付けられる取付手段をさらに備えることを特徴とする請求項１に記載の撮影用ユニット。
【請求項３】
前記突き当て部材は、前記光軸方向と直交する方向に挿入される前記撮影対象物が突き当てられることを特徴とする請求項１に記載の撮影用ユニット。
【請求項４】
前記突き当て部材は、前記光軸方向と交差し且つ前記撮影対象物の挿入方向に沿う面における互いに交差する二方向から当該撮影対象物が突き当てられることを特徴とする請求項１に記載の撮影用ユニット。
【請求項５】
前記突き当て部材は、互いに交差する第１の辺部と第２の辺部とを有するカード状の前記撮影対象物の当該第１の辺部が付き当てられる第１突き当て部と、当該第２の辺部が付き当てられる第２突き当て部とを備えることを特徴とする請求項１に記載の撮影用ユニット。
【請求項６】
前記押し付け手段は、球形状を有し前記対向部材に対向する球状部材と、当該球状部材を前記光軸方向に沿って当該対向部材に付勢する付勢部材とを備えることを特徴とする請求項１に記載の撮影用ユニット。
【請求項７】
前記押し付け手段は、前記撮影手段と前記撮影対象物との対向位置よりも当該撮影対象物の挿入方向下流側にて当該撮影対象物を前記対向部材に押し付けることを特徴とする請求項１に記載の撮影用ユニット。
【請求項８】
撮影対象物を撮影する撮影手段を備える携帯端末と、
前記携帯端末に取り付けられる撮影用ユニットと、を有し、
前記撮影用ユニットは、
前記携帯端末に取り付けるための取付手段と、
前記撮影手段の光軸方向と交差する方向に挿入される前記撮影対象物が突き当てられ、当該撮影対象物の予め定めた領域を当該撮影手段に対向させる突き当て部材と、
前記突き当て部材に突き当てられる前記撮影対象物に前記撮影手段側から前記光軸方向に対向する対向部材と、
前記光軸方向に沿って前記撮影対象物を前記対向部材に押し付ける押し付け手段と
を備える撮影システム。
【請求項９】
前記携帯端末は、前記撮影手段により撮影された画像を表示する表示手段をさらに備え、前記撮影対象物の挿入が開始された場合に、当該撮影手段により撮影された当該撮影対象物の画像を当該表示手段に表示することを特徴とする請求項８に記載の撮影システム。
【請求項１０】
撮影手段に対して固定され、当該撮影手段の光軸方向と交差する方向に挿入される撮影対象物が突き当たり、当該撮影対象物の予め定めた領域を当該撮影手段に対向させる突き当て部材と、
前記突き当て部材に突き当った前記撮影対象物に前記撮影手段側から前記光軸方向で対向する対向部材と、
前記光軸方向に沿って前記撮影対象物を前記対向部材に押し付ける押し付け手段と
を備える撮影用ユニット。
【発明の詳細な説明】
【技術分野】
【０００１】
本発明は、撮影用ユニットおよび撮影システムに関する。
【背景技術】
【０００２】
例えば携帯電話やスマートフォン等の携帯端末のカメラを用いて、撮影対象物の画像を撮影し、撮影した画像を用いて撮影対象物の照合を行う装置が知られている。
特許文献１には、カメラ付き携帯電話で、撮影対象物の拡大画像の撮影を行う拡大撮像用ユニットが開示されている。
【先行技術文献】
【特許文献】
【０００３】
【特許文献１】特開２００４−２７９７３３号公報
【発明の概要】
【発明が解決しようとする課題】
【０００４】
本発明は、例えば撮影対象物の紋様情報のように細かい情報を取得する場合においても、撮影対象物の予め定めた領域を、撮影手段に対して簡単に位置決めすることを目的とする。
【課題を解決するための手段】
【０００５】
請求項１に係る発明は、携帯端末が備える撮影手段の光軸方向と交差する方向に挿入される撮影対象物が突き当てられ、当該撮影対象物の予め定めた領域を当該撮影手段に対向させる突き当て部材と、前記突き当て部材に突き当てられる前記撮影対象物に前記撮影手段側から前記光軸方向に対向する対向部材と、前記光軸方向に沿って前記撮影対象物を前記対向部材に押し付ける押し付け手段とを備える撮影用ユニットである。
請求項２に係る発明は、前記突き当て部材および前記押し付け手段が取り付けられ、または当該突き当て部材および当該押し付け手段が一体として設けられ、前記携帯端末に着脱可能に取り付けられる取付手段をさらに備えることを特徴とする請求項１に記載の撮影用ユニットである。
請求項３に係る発明は、前記突き当て部材は、前記光軸方向と直交する方向に挿入される前記撮影対象物が突き当てられることを特徴とする請求項１に記載の撮影用ユニットである。
請求項４に係る発明は、前記突き当て部材は、前記光軸方向と交差し且つ前記撮影対象物の挿入方向に沿う面における互いに交差する二方向から当該撮影対象物が突き当てられることを特徴とする請求項１に記載の撮影用ユニットである。
請求項５に係る発明は、前記突き当て部材は、互いに交差する第１の辺部と第２の辺部とを有するカード状の前記撮影対象物の当該第１の辺部が付き当てられる第１突き当て部と、当該第２の辺部が付き当てられる第２突き当て部とを備えることを特徴とする請求項１に記載の撮影用ユニットである。
請求項６に係る発明は、前記押し付け手段は、球形状を有し前記対向部材に対向する球状部材と、当該球状部材を前記光軸方向に沿って当該対向部材に付勢する付勢部材とを備えることを特徴とする請求項１に記載の撮影用ユニットである。
請求項７に係る発明は、前記押し付け手段は、前記撮影手段と前記撮影対象物との対向位置よりも当該撮影対象物の挿入方向下流側にて当該撮影対象物を前記対向部材に押し付けることを特徴とする請求項１に記載の撮影用ユニットである。
請求項８に係る発明は、撮影対象物を撮影する撮影手段を備える携帯端末と、前記携帯端末に取り付けられる撮影用ユニットと、を有し、前記撮影用ユニットは、前記携帯端末に取り付けるための取付手段と、前記撮影手段の光軸方向と交差する方向に挿入される前記撮影対象物が突き当てられ、当該撮影対象物の予め定めた領域を当該撮影手段に対向させる突き当て部材と、前記突き当て部材に突き当てられる前記撮影対象物に前記撮影手段側から前記光軸方向に対向する対向部材と、前記光軸方向に沿って前記撮影対象物を前記対向部材に押し付ける押し付け手段とを備える撮影システムである。
請求項９に係る発明は、前記携帯端末は、前記撮影手段により撮影された画像を表示する表示手段をさらに備え、前記撮影対象物の挿入が開始された場合に、当該撮影手段により撮影された当該撮影対象物の画像を当該表示手段に表示することを特徴とする請求項８に記載の撮影システムである。
請求項１０に係る発明は、撮影手段に対して固定され、当該撮影手段の光軸方向と交差する方向に挿入される撮影対象物が突き当たり、当該撮影対象物の予め定めた領域を当該撮影手段に対向させる突き当て部材と、前記突き当て部材に突き当った前記撮影対象物に前記撮影手段側から前記光軸方向で対向する対向部材と、前記光軸方向に沿って前記撮影対象物を前記対向部材に押し付ける押し付け手段とを備える撮影用ユニットである。
【発明の効果】
【０００６】
請求項１の発明によれば、例えば撮影対象物の紋様情報のように細かい情報を取得する場合においても、撮影対象物の予め定めた領域を、撮影手段に対して簡単に位置決めすることが可能となる。
請求項２の発明によれば、汎用する携帯端末を利用して、例えば撮影対象物の紋様情報の撮影等の撮影を行うことができる。
請求項３の発明によれば、光軸方向に対して斜めに撮影する場合と比較して、撮影対象物の予め定めた領域を鮮明に撮影することができる。
請求項４の発明によれば、例えば突き当て部材に対して撮影対象物が一方向のみから突き当てられる場合と比較して、撮影対象物の挿入方向に沿う面における撮影対象物の位置決めをより正確に行うことが可能となる。
請求項５の発明によれば、第１突き当て部および第２突き当て部を有しない場合と比較して、撮影対象物の挿入方向に沿う面における撮影対象物の位置決めをより正確に行うことが可能となる。
請求項６の発明によれば、押し付け手段が例えば直方体の部材により構成される場合と比較して、押し付け手段によって撮影対象物の折れ曲がり等を抑制することが可能となる。
請求項７の発明によれば、例えば撮影対象物の挿入方向上流側で撮影対象物を押し付ける場合と比較して、撮影対象物を挿入する際に負荷がかかる区間を低減することが可能となる。
請求項８の発明によれば、例えば撮影対象物の紋様情報のように細かい情報を取得する場合においても、撮影対象物の予め定めた領域を、撮影手段に対して簡単に位置決めすることが可能となる。
請求項９の発明によれば、撮影対象物の画像を表示手段に表示しない場合と比較して、撮影対象物の挿入の操作性を向上させることが可能となる。
請求項１０の発明によれば、例えば撮影対象物の紋様情報のように細かい情報を取得する場合においても、撮影対象物の予め定めた領域を、撮影手段に対して簡単に位置決めすることが可能となる。
【図面の簡単な説明】
【０００７】
【図１】本実施の形態が適用される撮影システムの概略構成を示した斜視図である。
【図２】本実施の形態が適用される撮影システムの概略構成を示した斜視図である。
【図３】図１に示した撮影システムにおける撮影用ユニットのＩＩＩ−ＩＩＩ部の断面図である。
【図４】撮影用ユニットの後述する撮影ケースの内部構造を示した斜視図である。
【図５】（ａ）〜（ｂ）は、本実施の形態が適用される位置決め部材の構成を示した図である。
【図６】撮影ケースに、撮影対象物であるカードを挿入する状態を示した図である。
【図７】（ａ）〜（ｂ）は、撮影ケースに、撮影対象物であるカードを挿入する状態を示した図である。
【発明を実施するための形態】
【０００８】
以下、本発明の実施の形態を、図面を参照して具体的に説明する。
図１および図２は、本実施の形態が適用される撮影システム１の概略構成を示した斜視図である。同図に示すように、本実施の形態の撮影システム１は、撮影手段（カメラ機能）と照明手段（照明点灯機能）とを有する携帯端末２に、撮影用ユニット３が取り付けられて構成される。
ここで、本実施の形態では、図１に示すように、撮影システム１を正面側（携帯端末２の後述するディスプレイ２０側）から見た場合に、撮影用ユニット３が視認できるようになっている。
【０００９】
本実施の形態の携帯端末２は、例えばスマートフォン等の携帯電話によって実現される。なお、携帯端末２は、撮影手段や照明手段を備えたものであれば、タブレット端末やデジタルカメラ等により実現されるものとしてもよい。
携帯端末２は、マイクロプロセッサ、ＲＡＭ（Random Access Memory）、ハードディスクドライブ等の記憶媒体により構成される記憶部、通信インターフェース、操作ボタン等を備えている。そして、本実施の形態の携帯端末２には、紋様情報取得用のアプリケーションがインストールされている。
また、図１に示すように、携帯端末２は、表示手段の一例としてのディスプレイ２０と、ディスプレイ２０の裏面に設けられる撮影手段の一例としてのカメラ２１および照明手段の一例としてのフラッシュランプ２２とを有している。
【００１０】
携帯端末２に設けられるカメラ２１は、ＣＣＤ（Charge Coupled Device）イメージセンサやＣＭＯＳ（Complementary Metal Oxide Semiconductor）イメージセンサ等の撮像素子およびレンズ等の光学系等からなる。そして、カメラ２１は、撮影対象物の画像を撮影して画像データを取得する。また、カメラ２１における光学系の光軸は、携帯端末２のディスプレイ２０に対して垂直な方向となっている。
【００１１】
また、携帯端末２に設けられるフラッシュランプ２２は、発光素子として、例えばＬＥＤ（発光ダイオード）を含んで構成される。そして、フラッシュランプ２２は、カメラ２１による撮影対象物の画像取得の際に発光するようになっている。
【００１２】
本実施の形態の撮影システム１は、例えば薄板状（カード状）の撮影対象物の紋様情報を取得する。
具体的には、撮影システム１により撮影対象物の一例であるカードＣの画像を撮影して紋様情報を取得する際には、図２に示すように、撮影用ユニット３に対してカードＣを挿入する。
また、撮影システム１によりカードＣの画像を撮影して紋様情報を取得する際には、携帯端末２にインストールされた紋様情報取得用のアプリケーションを起動する。これにより、携帯端末２のフラッシュランプ２２による発光が維持されつつ、カメラ２１による撮影が開始されて、その様子がディスプレイ２０に表示される。そして、携帯端末２の操作ボタンやディスプレイ２０に入力をすることで、フラッシュランプ２２からの光によって照らされた撮影対象物（カードＣ）の画像が取得されて、さらに紋様情報が取得されるようになっている。
なお、撮影システム１により紋様情報が取得される撮影対象物や、撮影用ユニット３に対する撮影対象物の位置決め方法等については、後段にて詳細に説明する。
【００１３】
続いて、本実施の形態の撮影用ユニット３の構成について説明する。図３は、図１に示した撮影システム１における撮影用ユニット３のＩＩＩ−ＩＩＩ部の断面図である。また、図４は、撮影用ユニット３の後述する撮影ケース４０の内部構造を示した斜視図であり、撮影ケース４０から後述する遮光部材４５の底部４５２および位置決め部材４６を取り外した状態を示している。
【００１４】
本実施の形態の撮影用ユニット３は、図１および図３に示すように、携帯端末２の外形状に倣った形状を有し、携帯端末２が嵌め合わされて固定される取付手段の一例としての取り付け部材３１と、取り付け部材３１に固定され撮影対象物が挿入されて撮影対象物の位置決めを行う撮影ケース４０とを備えている。
【００１５】
取り付け部材３１には、携帯端末２のカメラ２１およびフラッシュランプ２２に対応する位置に、撮影ケース４０に向けて開口した孔部３１０が形成されている。そして、撮影システム１では、携帯端末２が撮影用ユニット３に取り付けられた状態において、携帯端末２のカメラ２１が、孔部３１０を介して後述するレンズ部４１の接写レンズ４１１に対向するようになっている。また、携帯端末２のフラッシュランプ２２が、孔部３１０を介して後述する導光部材４２に対向するようになっている。
【００１６】
本実施の形態の撮影ケース４０には、取り付け部材３１に携帯端末２が取り付けられた状態で孔部３１０を介して携帯端末２のカメラ２１に対向するレンズ部４１が設けられている。レンズ部４１は、図３および図４に示すように、カメラ２１の最短撮影距離を短くする接写レンズ（マクロレンズ）４１１と、撮影ケース４０の後述する遮光部材４５に取り付けられ接写レンズ４１１を支持する円筒状の鏡筒４１２とを備えている。
上述したように、接写レンズ４１１は、携帯端末２のカメラ２１と対向するように配置されている。より具体的には、接写レンズ４１１の光軸と、カメラ２１における光学系の光軸とが一致するように配置されている。
本実施の形態の接写レンズ４１１は、撮影ケース４０により位置決めされる撮影対象物（カードＣ）の表面に焦点を結ぶようになっている。
【００１７】
また、撮影ケース４０は、フラッシュランプ２２から出力された照明光を撮影ケース４０内に導く導光部材４２と、導光部材４２にて導かれた照明光を反射して、撮影対象物に照射する反射部材４３とを備えている。
導光部材４２は、フラッシュランプ２２から出力された照明光を、反射部材４３に供給するものである。本実施の形態では、フラッシュランプ２２からの照明光が進行する方向を変化させるように導光する筒状の導光部材によって構成される。
【００１８】
反射部材４３は、導光部材４２の先端（照明光の出射側）に対向するように設けられる。そして、反射部材４３は、フラッシュランプ２２から導光部材４２を介して導かれた照明光を反射して、撮影対象物の接写部分（携帯端末２のカメラ２１と接写レンズ４１１とによる光学系で接写撮影されて画像として取り込まれる領域）に照明光を供給する。
反射部材４３は、例えば曲げ加工が施された金属板等により構成される。
【００１９】
また、撮影ケース４０は、撮影対象物の接写部分を、撮影ケース４０の外部から遮光する遮光部材４５を備えている。
図３および図４に示すように、遮光部材４５は、取り付け部材３１とは反対側に開口を有する箱状の側壁部４５１と、側壁部４５１の開口を塞ぐ対向部材の一例としての底部４５２とにより構成される。そして、遮光部材４５は、側壁部４５１と底部４５２とにより囲まれる空間内に、上述したレンズ部４１、導光部材４２および反射部材４３を収容している。また、図３に示すように、底部４５２には、接写レンズ４１１と対向する位置に、開口４５３が形成されている。これにより、撮影ケース４０に撮影対象物が挿入された場合に、接写レンズ４１１が開口４５３を介して撮影対象物の接写部分に対向するようになっている。
【００２０】
本実施の形態の遮光部材４５は、例えばＡＢＳ樹脂等の樹脂材料により構成される。また、遮光部材４５の内壁（レンズ部４１、導光部材４２および反射部材４３に対向する壁面）は、照明光の散乱を抑制するために黒色に着色されていることが好ましい。
【００２１】
さらに、撮影ケース４０は、遮光部材４５の底部４５２に対向して設けられ、光軸方向と交差する面での撮影対象物の位置決めを行う突き当て部材の一例としての位置決め部材４６と、位置決め部材４６に取り付けられ、撮影対象物の光軸方向への位置決めを行う球状部材４７と、球状部材４７を接写レンズ４１１に向かう方向へ押圧する付勢部材の一例としての弾性部材４８とを備えている。本実施の形態において、位置決め部材４６は、撮影対象物が接触した場合に変形しにくいＡＢＳ樹脂等の硬質な樹脂材料により構成される。また、球状部材４７は、例えばステンレス等の金属製ボールにより構成される。さらに、弾性部材４８は、フェルトや発泡ゴム等の弾性を有するシート状の部材により構成される。
ここで、本実施の形態では、球状部材４７と弾性部材４８とにより、押し付け手段が構成されている。
【００２２】
なお、本実施の形態の説明において、カメラ２１（接写レンズ４１１）の光軸方向をＺ方向とし、Ｚ方向に直交する面をＸＹ平面とする。またこの例では、長方形状の携帯端末２（取り付け部材３１）の短手方向に沿う方向をＸ方向、長手方向に沿う方向をＹ方向とする。
また、本実施の形態では、光軸方向と交差する方向の一例として光軸方向と直交する方向を例に挙げて説明するが、「光軸方向と交差する方向」は、撮影対象物の撮影を行うことができるものであれば、直交しておらず、やや傾いていてもよい。
【００２３】
図５（ａ）〜（ｂ）は、本実施の形態が適用される位置決め部材４６の構成を示した図であり、図５（ａ）は、位置決め部材４６の斜視図であり、図５（ｂ）は、図５（ａ）に示した位置決め部材４６をＺ方向上流側から見た図である。
図５（ａ）〜（ｂ）に示すように、本実施の形態の位置決め部材４６は、撮影対象物の予め定めた第１方向（Ｘ方向）への位置決めを行う第１突き当て部の一例としての第１突き当て壁４６１と、第１方向と直交する第２方向（Ｙ方向）への位置決めを行う第２突き当て部の一例としての第２突き当て壁４６２とを有している。この例では、第１突き当て壁４６１は、ＹＺ平面に沿った壁面により構成され、第２突き当て壁４６２は、ＺＸ平面に沿った壁面により構成される。
【００２４】
位置決め部材４６の第１突き当て壁４６１および第２突き当て壁４６２は、カメラ２１による撮影領域から予め定めた距離に設けられている。言い換えると、第１突き当て壁４６１は、カメラ２１による撮影領域からＸ方向に予め定めた距離だけ離れた位置に設けられている。同様に、第２突き当て壁４６２は、カメラ２１による撮影領域からＹ方向に予め定めた距離だけ離れた位置に設けられている。
【００２５】
また、図３等に示すように、位置決め部材４６は、第１突き当て壁４６１および第２突き当て壁４６２が底部４５２に接触するように、遮光部材４５に取り付けられている。これにより、本実施の形態の撮影ケース４０では、遮光部材４５の底部４５２と、位置決め部材４６の第１突き当て壁４６１および第２突き当て壁４６２との間に、撮影対象物が挿入される挿入空間Ｓが形成されている。
【００２６】
また、図３および図５（ａ）〜（ｂ）に示すように、位置決め部材４６には、球状部材４７が保持される保持孔４６３が設けられている。
そして、本実施の形態の撮影ケース４０では、位置決め部材４６の保持孔４６３に球状部材４７が保持されるとともに、位置決め部材４６の裏面（遮光部材４５に対向する面とは反対の面）に弾性部材４８が取り付けられる。これにより、球状部材４７が弾性部材４８によってＺ方向上流側に押圧され、挿入空間Ｓに撮影対象物が挿入されていない状態では、球状部材４７が遮光部材４５の底部４５２に接触した状態となっている。
【００２７】
本実施の形態の撮影ケース４０では、球状部材４７は、保持孔４６３に対して固定されておらず、回転自在に保持されている。これにより、挿入空間Ｓに撮影対象物が挿入された場合に、撮影対象物の移動に伴って回転するようになっている。
なお、詳細については後述するが、挿入空間Ｓに撮影対象物が挿入された場合には、球状部材４７が撮影対象物によって接写レンズ４１１から離れる方向に押されることで、弾性部材４８が弾性変形する。これにより、球状部材４７と遮光部材４５の底部４５２との間に撮影対象物が挟まれて支持されるようになっている。
【００２８】
また、本実施の形態の撮影ケース４０では、撮影ケース４０をＺ方向（光軸方向）に沿って見た場合、保持孔４６３および球状部材４７は、接写レンズ４１１（底部４５２の開口４５３）からずれた位置に設けられている。より具体的に説明すると、図３および図７（ａ）〜（ｂ）に示すように、本実施の形態の撮影ケース４０では、球状部材４７は、接写レンズ４１１に対して、Ｘ方向およびＹ方向の下流側に設けられている。言い換えると、本実施の形態の撮影ケース４０では、球状部材４７は、接写レンズ４１１よりも撮影対象物の挿入方向下流側に設けられている。
【００２９】
続いて、本実施の形態の撮影システム１における撮影対象物について説明する。本実施の形態の撮影システム１では、例えばセキュリティーカードやクレジットカード、チケット等の薄板状のカードＣを撮影対象物とし、このカードＣの照合（真贋判定）を行う。
具体的に説明すると、本実施の形態の撮影システム１では、携帯端末２や携帯端末２に有線または無線で接続されるサーバＰＣ等の外部装置に、予めカードＣの紋様情報に関する情報が記憶されている。
カードＣの照合を行う場合には、撮影システム１を用いてカードＣの予め定められた領域を撮影することで、カードＣの紋様情報を取得する。そして、取得したカードＣの紋様情報が、携帯端末２や外部装置に記憶された紋様情報と一致するか否かの判定を行うことで、カードＣの照合を行い、照合結果を携帯端末２のディスプレイ２０等を介して出力する。
【００３０】
ここで、本実施の形態の撮影システム１では、紋様情報として、カードＣの表面に表れ、それぞれのカードＣが固有に有するランダムで微細な紋様の画像を取得する。本実施の形態の撮影システム１において取得する微細な紋様とは、通常、例えばカードＣ上に形成される一般的な文字や図柄等とは異なり、肉眼では認識することが困難な程度の微細な紋様を意味する。
カードＣの紋様として具体的には、カードＣを構成する繊維により形成される紋様、カードＣの表面の微小なクラックにより形成される紋様、カードＣを構成する材料の微粒子によって形成される紋様、カードＣの表面に形成されたホログラムの紋様等が挙げられる。なお、本実施の形態においてカードＣの照合（真贋判定）を行う紋様は、これに限られるものではない。
【００３１】
このように、本実施の形態の撮影システム１にて取得するカードＣの紋様は微細であり、カードＣの紋様の画像を正確に撮影するためには、カードＣの表面が接写レンズ４１１の焦点位置にくるようにカードＣの位置決めを行う必要がある。言い換えると、カードＣの紋様の画像を正確に撮影するためには、カードＣのＺ方向（光軸方向）での位置決めを正確に行う必要がある。
また、本実施の形態の撮影システム１においてカードＣから紋様情報を取得する領域は、通常、カードＣにおける狭小な範囲となっている。したがって、カードＣから照合の対象となる領域の紋様を正確に取得するためには、カメラ２１の読み取り位置に対するカードＣの位置決めを正確に行う必要がある。言い換えると、カードＣから照合の対象となる領域の紋様を正確に取得するためには、カードＣのＸＹ面での位置決め（Ｘ方向、Ｙ方向での位置決め）を正確に行う必要がある。
【００３２】
そこで、本実施の形態の撮影システム１では、位置決め部材４６を用いてカードＣのＸＹ面での位置決めを行うとともに、球状部材４７、弾性部材４８および遮光部材４５の底部４５２を用いてＺ方向への位置決めを行っている。
続いて、本実施の形態の撮影システム１における撮影対象物（カードＣ）の位置決めについて説明する。図６および図７（ａ）〜（ｂ）は、撮影ケース４０に、撮影対象物であるカードＣを挿入する状態を示した図である。図７（ａ）は、撮影ケース４０とカードＣとの関係を示した図であり、図７（ｂ）は、図７（ａ）におけるＶＩＩＢ−ＶＩＩＢ断面図である。
【００３３】
撮影対象物であるカードＣには、予め定めた位置に、上述した紋様情報を取得するための情報領域Ｄが設定されている。ここでは、撮影対象物として長方形状のカードＣを用いる場合を例に挙げて説明する。図６に示すように、カードＣには、四隅のうちの１つ（この例では図中右下の隅部Ｃｘ）に、情報領域Ｄが設定されている。言い換えると、カードＣでは、４つの辺のうち互いに直交する１つの長辺（第１の辺部）Ｃａと１つの短辺（第２の辺部）Ｃｂとに挟まれる隅部Ｃｘに、情報領域Ｄが設定されている。
【００３４】
本実施の形態の図６および上述した図３に示すように、撮影ケース４０の遮光部材４５と位置決め部材４６との間に形成された挿入空間Ｓに対して、隅部Ｃｘを先端側にしてＸ方向およびＹ方向に沿ってカードＣを挿入する（図６における矢印Ａ参照）。
カードＣの挿入を続けると、カードＣの隅部Ｃｘが挿入空間Ｓに突出した球状部材４７に突き当たる。そして、カードＣに押圧されることで、弾性部材４８がＺ方向下流側に変形するとともに球状部材４７がＺ方向下流側へ移動し、図７（ｂ）に示すように、球状部材４７と遮光部材４５の底部４５２との間にカードＣが挟まれた状態となる。
【００３５】
上述したように、球状部材４７は、弾性部材４８により、Ｚ方向上流側に向けて押圧されており、カードＣは、球状部材４７により底部４５２に押しつけられる。これにより、カードＣのＺ方向への位置決めがなされる。言い換えると、カードＣが底部４５２に押しつけられることで、接写レンズ４１１からカードＣの表面までの距離が、接写レンズ４１１から底部４５２までの距離と等しくなるように、カードＣの位置決めがなされる。これにより、接写レンズ４１１の焦点位置がカードＣの表面に一致するようになる。
【００３６】
ここで、球状部材４７は、球形状を有しており、その表面が球面となっている。これにより、カードＣの挿入に伴ってカードＣが球状部材４７に突き当たった場合に、カードＣが球状部材４７の表面を案内されやすくなる。また、上述したように、球状部材４７は、位置決め部材４６の保持孔４６３に対して回転自在に保持されている。このため、カードＣの挿入に伴ってカードＣが球状部材４７に突き当たった場合に、カードＣの動きに倣って球状部材４７が回転するようになっている。
このような構成を採用することで、本実施の形態の撮影ケース４０では、カードＣが球状部材４７に当たることによるカードＣに折れ曲がりや傷等の発生が抑制される。
【００３７】
さらにカードＣの挿入を続けると、カードＣが位置決め部材４６の第１突き当て壁４６１および第２突き当て壁４６２に突き当たる。より具体的には、図７（ａ）に示すように、カードＣの長辺Ｃａが第１突き当て壁４６１に突き当たり、短辺Ｃｂが第２突き当て壁４６２に突き当たる。
これにより、カードＣのＸ方向およびＹ方向への位置決めがなされる。具体的には、カードＣの長辺Ｃａが第１突き当て壁４６１に突き当たることで、カードＣのＸ方向への位置決めがされ、短辺Ｃｂが第２突き当て壁４６２に突き当たることで、カードＣのＹ方向への位置決めがされる。これにより、カードＣの情報領域Ｄが、カメラ２１による撮影領域にくるようになる。
【００３８】
なお、本実施の形態の撮影ケース４０にカードＣを挿入した場合、通常は、カードＣの長辺Ｃａまたは短辺Ｃｂのいずれか一方が先に、第１突き当て壁４６１または第２突き当て壁４６２に突き当たる。例えば、カードＣの長辺Ｃａが第１突き当て壁４６１に先に突き当たった場合、カードＣの挿入を続けると、カードＣは、第１突き当て壁４６１に案内されてＹ方向へ移動され、短辺Ｃｂが第２突き当て壁４６２に突き当たり、カードＣのＸ方向およびＹ方向への位置決めがされる。
すなわち、本実施の形態の撮影ケース４０では、第１突き当て壁４６１および第２突き当て壁４６２は、挿入されるカードＣの進行方向を案内する機能を有している。これにより、ユーザによりカードＣの挿入を行う際の操作性が良好になる。
【００３９】
以上説明したように、本実施の形態の撮影システム１（撮影用ユニット３）では、位置決め部材４６を用いてカードＣのＸＹ面での位置決めを行うとともに、球状部材４７、弾性部材４８および遮光部材４５の底部４５２を用いてＺ方向への位置決めを行う。これにより、本構成を採用しない場合と比較して、カードＣの情報領域Ｄを、カメラ２１による撮影領域に位置決めすることが可能となる。
これにより、カードＣの繊維により形成される紋様等のように微細で通常では読み取り難い紋様であっても、携帯端末２のカメラ２１で正確に読み取ることが可能となり、読み取った紋様を用いてカードＣの照合（真贋判定）を行うことが可能となる。
【００４０】
ここで、本実施の形態の撮影システム１（撮影用ユニット３）では、カメラ２１による撮影領域よりもＸ方向およびＹ方向の下流側に、球状部材４７を設けている。言い換えると、カメラ２１による撮影領域よりも撮影対象物であるカードＣの挿入方向下流側に、球状部材４７を設けている。
これにより、例えば球状部材４７をカメラ２１による撮影領域よりもＸ方向またはＹ方向の上流側に設ける場合と比較して、球状部材４７に押圧された状態でカードＣを挿入する距離を短くでき、カードＣにかかる負荷が低減される。
【００４１】
また、本実施の形態の撮影システム１では、携帯端末２のディスプレイ２０に、カードＣの挿入方向や挿入部位をユーザに示唆する表示を行ってもよい。これにより、ユーザが撮影システム１を用いてカードＣの照合を行う際の操作性をより向上させることが可能となる。
また、撮影用ユニット３の撮影ケース４０にカードＣが挿入された場合には、携帯端末２のディスプレイ２０に、カメラ２１により撮影される映像を表示するようにしてもよい。これにより、ユーザがディスプレイ２０に表示される映像を確認しながらカードＣの挿入を行うことが可能となり、カードＣの情報領域Ｄがカメラによる撮影領域まで移動したか否かをディスプレイ２０によっても確認することが可能となる。
【００４２】
なお、本実施の形態の撮影ケース４０では、カードＣのＸ方向への位置決めおよびＹ方向への位置決めを、ともに平面である第１突き当て壁４６１および第２突き当て壁４６２にて行うものとしている。具体的には、カードＣの長辺Ｃａを連続的に第１突き当て壁４６１に接触させることでカードＣのＸ方向への位置決めを行い、カードＣの短辺Ｃｂを連続的に第２突き当て壁４６２に接触させることでカードＣのＹ方向の位置決めを行っている。
しかしながら、例えばカードＣの長辺Ｃａまたは短辺Ｃｂの一方を、位置決め部材４６に点接触させることで、カードＣのＸ方向またはＹ方向への位置決めを行ってもよい。
【００４３】
また、本実施の形態では、カードＣのＺ方向への位置決めを、１つの球状部材４７にて行うものとしたが、球状部材４７を複数設けてもよい。この場合、１つの球状部材４７でカードＣのＺ方向への位置決めを行う場合と比較して、カードＣの表面全体が遮光部材４５の底部４５２に接触しやすくなり、カードＣのＺ方向への位置決めをより安定して行うことが可能となる。
【符号の説明】
【００４４】
１…撮影システム、２…携帯端末、３…撮影用ユニット、２１…カメラ、２２…フラッシュランプ、４０…撮影ケース、４１…レンズ部、４５…遮光部材、４６…位置決め部材、４７…球状部材、４１１…接写レンズ、４６１…第１突き当て壁、４６２…第２突き当て壁、Ｃ…カード
【図１】
2017032697.tif 000003
【図２】
2017032697.tif 000004
【図３】
2017032697.tif 000005
【図４】
2017032697.tif 000006
【図５】
2017032697.tif 000007
【図６】
2017032697.tif 000008
【図７】
2017032697.tif 000009